(57)【要約】【課題】  面倒な操作を行うことなく、用紙を適正に手差し給紙し得るようにする。【解決手段】  プリンタ１０の装置本体１１に対して挿脱可能に装着された複数枚の用紙Ｐ（用紙束Ｐ１）を貯留する用紙カセット３１と、この用紙カセット３１の上部に設けられた手差し給紙部４０とを備えてなる給紙装置３０において、手差し給紙部４０は、装置本体１１に設けられた給紙口１１６を介して手差し給紙する用紙Ｐを受ける手差しトレー６０を有し、手差しトレー６０には、用紙搬送方向で互いに対向した用紙Ｐの幅方向のずれを抑える一対の給紙口側カーソル６３を備え、一対の給紙口側カーソル６３は、給紙口１１６を閉止する閉止姿勢Ｓ１と、給紙口１１６から引き出されることにより用紙Ｐを挟持するべく互いに平行になった開放姿勢Ｓ２との間で姿勢変更可能に構成されている。【選択図】      図６
2007022744.tif 000002
【特許請求の範囲】
【請求項１】
画像形成装置の装置本体に対して挿脱可能に装着された複数枚の用紙を貯留する用紙カセットと、この用紙カセットの上部に設けられた手差し給紙部とを備えてなる給紙装置において、
前記手差し給紙部は、前記装置本体に設けられた給紙口を介して手差し給紙する用紙を受ける手差しトレーを有し、
前記手差しトレーには、用紙搬送方向で互いに対向した用紙の幅方向のずれを抑える一対のカーソルが設けられ、
前記一対のカーソルは、前記給紙口を閉止する閉止姿勢と、前記給紙口から引き出されることにより用紙を挟持するべく互いに平行になった開放姿勢との間で姿勢変更可能に構成されていることを特徴とする給紙装置。
【請求項２】
前記一対のカーソルは、前記手差しトレーに設けられた一対の第１カーソルと、各第１カーソルに対して回動可能に連結された一対の第２カーソルとを備えて構成され、
前記各第２カーソルは、閉止姿勢に姿勢設定された状態で対応する第１カーソルに対し曲折し、開放姿勢に姿勢設定された状態で第１カーソルに対し直線状になることを特徴とする請求項１記載の給紙装置。
【請求項３】
前記一対の第２カーソルは、閉止姿勢に姿勢設定された状態で前記装置本体の外装を兼ねることを特徴とする請求項１または２記載の給紙装置。
【請求項４】
前記第１カーソルは、前記手差しトレー上で互いに反対方向へ向けて同一量だけ移動し得るように構成されていることを特徴とする請求項１乃至３のいずれかに記載の給紙装置。
【請求項５】
請求項１乃至４のいずれかに記載の給紙装置を用いたことを特徴とする画像形成装置。
【発明の詳細な説明】
【技術分野】
【０００１】
本発明は、複写機やファクシミリ装置、さらにはプリンタ等の画像形成装置に適用され、転写用の用紙を手差しで給紙するのに適した給紙装置およびこれを用いた画像形成装置に関するものである。
【背景技術】
【０００２】
従来、特許文献１に記載されているような、画像形成装置の画像形成部に向けて転写材としての用紙を給紙するための給紙装置が知られている。この給紙装置は、画像形成装置の装置本体に挿脱可能に装着された、複数枚の定型用紙を貯留するための用紙カセットと、この用紙カセットの上部に設けられ、葉書のような小サイズの用紙や非定形の用紙を手差しで１枚ずつ給紙するときに使用される手差し給紙部とを備えて構成されている。
【０００３】
前記手差し給紙部は、用紙を載置し得る板状の給紙台（手差しトレー）と、この給紙台に設けられた、用紙の真っ直ぐな送り込みを案内する一対のカーソルとを備えている。前記給紙台は、用紙カセットに対して挿脱可能に構成され、用紙カセット内に収納された垂直姿勢と、用紙カセットから引き出された水平姿勢との間で姿勢変更可能になっている。
【０００４】
そして、用紙を手差しで給紙するに際しては、給紙台を用紙カセットから引き出して水平姿勢に姿勢設定した上で、用紙の幅寸法に合わせて一対のカーソル間の距離を調節し、これら一対のカーソルに案内させつつ用紙を手差しすることにより、当該手差しの用紙が画像形成部の上流端に設けられたレジストローラに直接届き、これによって手差しによる円滑な給紙が行われることになる。手差し給紙を行わないときは、給紙台が垂直姿勢で用紙カセット内に収納されるため、突出した給紙台が邪魔になるような不都合は生じない。
【０００５】
一方、用紙カセットに貯留された用紙束から定型用紙を自動的に給紙するに際しては、用紙カセットの給紙位置に設けられた給紙ローラが駆動回転され、この給紙ローラの駆動回転によって用紙束から１枚ずつの用紙が画像形成部へ向けて繰り出されるようになっている。
【０００６】
かかる特許文献１に記載の給紙装置によれば、手差し給紙部を用紙カセットに設けたことにより、装置本体における用紙カセットとは別個の位置にそれぞれ独立した状態で手差し給紙部を設けた場合に比較し、用紙を搬送する搬送系の構成が簡素化され、装置コストの低減化に貢献するという利点が得られる。
【特許文献１】特許第３２７０６１３号公報
【発明の開示】
【発明が解決しようとする課題】
【０００７】
しかしながら、特許文献１に記載の給紙装置は、給紙台を用紙カセットに挿脱自在に収納する構造が複雑であり、部品点数が多くて製造コストおよび組付けコストが嵩むという問題点を有しているばかりか、手差し給紙を行うに際し、手差し用の給紙台を用紙カセットから一々引き出さなければならず、操作性が劣るという問題点を有している。
【０００８】
本発明は、かかる問題点を解消するためになされたものであり、製造コストの増大を抑えた上で、手差し給紙に際し一旦用紙カセットを装置本体から引き出して給紙台を突出させ、その後再び用紙カセットを装置本体に収納するような面倒な操作を行うことなく、用紙を適正に手差し給紙することができる給紙装置およびこれを用いた画像形成装置を提供することを目的としている。
【課題を解決するための手段】
【０００９】
請求項１記載の発明は、画像形成装置の装置本体に対して挿脱可能に装着された複数枚の用紙を貯留する用紙カセットと、この用紙カセットの上部に設けられた手差し給紙部とを備えてなる給紙装置において、前記手差し給紙部は、前記装置本体に設けられた給紙口を介して手差し給紙する用紙を受ける手差しトレーを有し、前記手差しトレーには、用紙搬送方向で互いに対向した用紙の幅方向のずれを抑える一対のカーソルが設けられ、前記一対のカーソルは、前記給紙口を閉止する閉止姿勢と、前記給紙口から引き出されることにより用紙を挟持するべく互いに平行になった開放姿勢との間で姿勢変更可能に構成されていることを特徴とするものである。
【００１０】
かかる構成によれば、用紙カセットに貯留された用紙束から装置本体内に給紙するに際し一対のカーソルを閉止姿勢に姿勢設定しておくことにより、手差し用の給紙口が排紙され、給紙口が開放していることによる見苦しさが解消される。これに対し、用紙を給紙装置の手差し給紙部を介して装置本体内に手差しで給紙するに際しては、閉止姿勢に姿勢設定されたカーソルを給紙カセットから引き出すことにより、一対のカーソルが用紙を挟持するべく互いに平行になった開放姿勢に姿勢変更されるため、用紙は、一対のカーソルに案内されて横ずれ或いは斜めずれがない状態で真っ直ぐに給紙される。
【００１１】
このように、一対のカーソルを給紙口を閉止する閉止姿勢と、給紙口から引き出されることにより用紙を挟持するべく互いに平行になった開放姿勢との間で姿勢変更可能に構成することにより、装置本体の外観視を見苦しくない状態にした上で手差し給紙時には、従来のように一旦用紙カセットを装置本体から引き出して給紙台を突出させ、その後再び用紙カセットを装置本体に収納するような面倒な操作を行うことなく、手出し給紙の際の操作性が改善される。また、一対のカーソルは、閉止姿勢と開放姿勢との間で姿勢変更させるだけであるため、従来のように手差しトレーを用紙カセットから出し入れするものに対して構造が簡単になり、その分装置コストおよび組付けコストの低減化に貢献する。
【００１２】
請求項２記載の発明は、請求項１記載の発明において、前記一対のカーソルは、前記手差しトレーに設けられた一対の第１カーソルと、各第１カーソルに対して回動可能に連結された一対の第２カーソルとを備えて構成され、前記各第２カーソルは、閉止姿勢に姿勢設定された状態で対応する第１カーソルに対し曲折し、開放姿勢に姿勢設定された状態で第１カーソルに対し直線状になることを特徴とするものである。
【００１３】
かかる構成によれば、閉止姿勢に姿勢設定された状態の一対の第２カーソルは、当該第２カーソルをいわゆる観音開きすることにより開放姿勢に姿勢変更され、これによって第１カーソルと直線状になるため、この状態で手差しする用紙を第１および第２カーソルを介して装置反対内に給紙することができる。
【００１４】
また、カーソルを第１カーソルと第２カーソルとで構成することにより、第２カーソルが開放姿勢に姿勢設定された状態でカーソルとしての長さ寸法が長くなるため、手差し教師が安定する。
【００１５】
請求項３記載の発明は、請求項１または２記載の発明において、前記一対の第２カーソルは、閉止姿勢に姿勢設定された状態で前記装置本体の外装を兼ねることを特徴とするものである。
【００１６】
かかる構成によれば、一対の第２カーソルを閉じて閉止姿勢に姿勢設定することにより、当該一対の第２カーソルが装置本体の外装を兼ねるため、装置本体の外観視が見苦しくなくなる。
【００１７】
請求項４記載の発明は、請求項１乃至３のいずれかに記載の発明において、前記第１カーソルは、前記手差しトレー上で互いに反対方向へ向けて同一量だけ移動し得るように構成されていることを特徴とするものである。
【００１８】
かかる構成によれば、各カーソルを開放姿勢に姿勢設定した状態で、一対の第１カーソルを正逆移動させることにより、用紙のサイズに応じてカーソル間の距離を適正に調節することが可能になる。
【００１９】
請求項５記載の発明は、請求項１乃至４のいずれかに記載の給紙装置を用いたことを特徴とする画像形成装置である。
【００２０】
かかる構成によれば、画像形成装置は、請求項１乃至４のいずれかに記載の給紙装置が有する作用を備えたものになる。
【発明の効果】
【００２１】
請求項１記載の発明によれば、一対のカーソルを給紙口を閉止する閉止姿勢と、給紙口から引き出されることにより用紙を挟持するべく互いに平行になった開放姿勢との間で姿勢変更可能に構成されているため、装置本体の外観視を見苦しくない状態にした上で手差し給紙時には、従来のように一旦用紙カセットを装置本体から引き出して給紙台を突出させ、その後再び用紙カセットを装置本体に収納するような面倒な操作を行うことなく、手出し給紙の際の操作性を良好なものにすることができる。また、一対のカーソルは、閉止姿勢と開放姿勢との間で姿勢変更させるだけであるため、従来のように手差しトレーを用紙カセットから出し入れするものに対して構造が簡単になり、その分装置コストおよび組付けコストの低減化に貢献することができる。
【００２２】
請求項２記載の発明によれば、閉止姿勢に姿勢設定された状態の一対の第２カーソルは、当該第２カーソルをいわゆる観音開きすることにより開放姿勢に姿勢変更され、これによって第１カーソルと直線状になるため、この状態で手差しする用紙を第１および第２カーソルを介して装置反対内に給紙することができる。
【００２３】
また、カーソルを第１カーソルと第２カーソルとで構成することにより、第２カーソルが開放姿勢に姿勢設定された状態でカーソルとしての長さ寸法が長くなるため、手差し教師を安定した状体で行うことができる。
【００２４】
請求項３記載の発明によれば、一対の第２カーソルを閉じて閉止姿勢に姿勢設定することにより、当該一対の第２カーソルが装置本体の外装を兼ねるため、手差し給紙用の開口が閉止され、これによって装置本体の外観視が見苦しくなくことを防止することができる。
【００２５】
請求項４記載の発明によれば、第１カーソルは、手差しトレー上で互いに反対方向へ向けて同一量だけ移動し得るように構成されているため、各カーソルを開放姿勢に姿勢設定した状態で、一対の第１カーソルを正逆移動させることにより、用紙のサイズに応じてカーソル間の距離を適正に調節することができる。
【００２６】
請求項６記載の発明によれば、画像形成装置を、請求項１乃至４のいずれかに記載の給紙装置が有する効果を備えたものにすることができる。
【発明を実施するための最良の形態】
【００２７】
図１は、本発明に係る給紙装置が適用されたプリンタの一実施形態を示す斜視図であり、（イ）は、手差し給紙部の給紙口側カーソルが給紙口を閉止した閉止姿勢に姿勢設定された状態、（ロ）は、手差し給紙部の給紙口側カーソルが給紙口を開放した開放姿勢に姿勢設定された状態をそれぞれ示している。なお、図１において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００２８】
図１に示すように、プリンタ（画像形成装置）１０は、例えばコンピュータ等の外部機器から入力された画像情報に基づき画像形成処理を行って用紙Ｐに転写処理を施すものであり、側面視で上に凹の扇形状に形状設定された箱形を呈する装置本体１１内に画像形成用の各種の機器が装着されることによって構成されている。
【００２９】
前記装置本体１１は、扇形状を呈した左右幅方向一対の側板１１１と、これら一対の側板１１１の上縁部間に架設された側面視で円弧状を呈する天板１１２と、この天板１１２の前縁部から上下方向の略中間位置まで垂下された前面板１１３と、天板１１２の後縁部から上下方向の略中間位置まで垂下された後面板１１４（図２）と、上下方向の略中間位置で前記一対の側板１１１間に架設された仕切板１１５（図２）とを備えている。装置本体１１内における仕切板１１５の上部に後述する画像形成用の各種の機器が装着されている一方、仕切板１１５の下部に、後に詳述する用紙カセット３１が挿脱可能に装着されている。
【００３０】
前記前面板１１３には、その下縁部が所定の上下寸法で左右方向に向けて切り欠かれることによって形成した給紙口１１６が設けられ、手差しで給紙する場合、用紙Ｐは、この給紙口１１６を介して装置本体１１内に導入されるようになっている。一方、前記天板１１２には、その中央部が後方に向かって先下がり状態で凹設されることによって形成した排紙トレー１１７が設けられ、装置本体１１内で所定の転写処理が施された用紙Ｐは、排紙トレー１１７の後方壁に開口された排紙口１１７ａを介して当該排紙トレー１１７上に排出されるようになっている。
【００３１】
前記給紙口１１６の直下位置には、用紙カセット３１と一体の手差しトレー６０が設けられているとともに、この手差しトレー６０の上面には給紙口１１６を開閉するための長さ寸法が同一に設定された左右一対の給紙口側カーソル６３が設けられている。前記給紙口側カーソル６３は、観音開きで開閉可能に手差しトレー６０に取り付けられ、これによって、図１の（イ）に示す、給紙口１１６を閉止した閉止姿勢Ｓ１と、図１の（ロ）に示す、給紙口１１６を開放した開放姿勢Ｓ２との間で姿勢変更し得るようになっている。なお、手差しトレー６０および給紙口側カーソル６３の詳細については、後に図８を基に詳細に説明する。
【００３２】
また、各側板１１１の後方上部には、上下方向に延びる複数本の格子が前後方向に向かって並設されてなるルーバー１１８がそれぞれ設けられ、一方のルーバー１１８から取り入れた外気を他方のルーバー１１８から排出することによって装置本体１１に冷却処理が施されるようになっている。
【００３３】
図２および図３は、かかるプリンタ１０の内部構造の概要を説明するための側面断面視の説明図であり、図２は、用紙カセット３１が収納位置Ｔ１に収納された状態、図３は、用紙カセット３１が引出位置Ｔ２に引き出された状態をそれぞれ示している。図２および図３におけるＹによる方向表示（前後方向）は、図１の場合と同様（−Ｙ：前方、＋Ｙ：後方）である。
【００３４】
これらの図に示すように、プリンタ１０は、印刷処理に供する用紙Ｐを貯留するとともに、貯留された用紙Ｐの束（用紙束Ｐ１）から１枚ずつの用紙Ｐを繰り出させたり、手差しで給紙させたりし得るように構成された給紙装置３０と、この給紙装置３０から供給された用紙Ｐに対して画像の転写処理を施す画像転写部２０と、この画像転写部２０で転写処理の施された用紙Ｐに対して定着処理を施す定着部２７とが装置本体１１における仕切板１１５より上方位置に内装されることによって構成されている。定着部２７で定着処理の施された用紙Ｐは、前記排紙トレー１１７へ排紙されるようになっている。
【００３５】
前記給紙装置３０は、装置本体１１に対して挿脱可能に装着された用紙束Ｐ１を貯留するための用紙カセット３１と、この用紙カセット３１の上部に設けられた手差し給紙部４０とを備えて構成されている。装置本体１１には、用紙カセット３１の上流側（図２の右方）に対応した位置に用紙束Ｐ１から１枚ずつの用紙Ｐを繰り出させる大径の給紙ローラ３１１が設けられているとともに、この給紙ローラの直上位置に小径の搬送コロ３１２が設けられている。一方、用紙カセット３１には、搬送コロ３１２と対向した用紙カセット３１側の給紙コロ３１２ａが設けられ、これら一対の搬送コロ３１２，３１２ａによって給紙ローラ対が形成されている。そして、給紙ローラ３１１の駆動によって用紙カセット３１から繰り出された用紙Ｐは、搬送コロ３１２，３１２ａを介し、給紙搬送路（案内面）３１３およびこの下流端に設けられたレジストローラ対３１４を介して画像転写部２０に給紙されるようになっている。なお、用紙カセット３１および手差し給紙部４０については後に詳述する。
【００３６】
前記画像転写部２０は、コンピュータ等から電送された画像情報に基づき用紙Ｐに転写処理を施すものであり、左右方向（図２の紙面と直交する方向）に延びるドラム心回りに回転可能に設けられた感光体ドラム２１の周面に沿うように、当該感光体ドラム２１の直上位置から時計方向に向けて帯電器２２、露光装置２３、現像装置２４、転写ローラ２５およびクリーニング装置２６が配設されることによって形成されている。
【００３７】
前記感光体ドラム２１は、周面に静電潜像およびこの静電潜像に沿ったトナー像を形成させるためのものであり、周面にアモルファスシリコン層が積層され、これによってこれらの像を形成させるのに適したものになっている。
【００３８】
前記帯電器２２は、ドラム心回りに時計方向に回転している感光体ドラム２１の周面に一様な電荷を形成させるものであり、本実施形態においては、ワイヤからのコロナ放電により感光体ドラム２１の周面に電荷を付与するコロナ放電方式のものが採用されているが、これに代えて周面が感光体ドラム２１の周面と当接しながら従動回転しつつ当該感光体ドラム２１の周面へ電荷を付与する帯電ローラ方式を採用してもよい。
【００３９】
前記露光装置２３は、コンピュータ等の外部の機器から電送されてきた画像データに基づき強弱の付与されたレーザー光を回転している感光体ドラム２１の周面に照射し、これによる感光体ドラム２１周面のレーザー光が照査された部分の電荷の消去によって当該感光体ドラム２１の周面に静電潜像を形成させるものである。
【００４０】
前記現像装置２４は、感光体ドラム２１の周面に現像剤の内のトナーを供給することによって周面の静電潜像が形成された部分にトナーを付着させ、これによって感光体ドラム２１の周面にトナー像を形成させるものである。なお、本発明においては、現像剤としてトナーとキャリアとからなる、いわゆる２成分系のものが採用されている。トナーは、着色剤、電荷制御剤およびワックス等の添加剤をバインダー樹脂中に分散させた粒径が６〜１２μｍの微粉体である。キャリアは、磁鉄鉱（Ｆｅ３Ｏ４）等の粒径が６０〜２００μｍの磁性粒子であり、トナーを帯電させるために使用される。そして、トナーは、トナーカートリッジ２４１から現像装置２４に適宜補給される消耗品であるのに対し、キャリアは、予め所定量が現像装置２４内に装填されており、消耗することなく循環使用されるのが一般的であるが、本発明においては、トナーカートリッジ２４１にトナーおよびキャリア（すなわち現像剤）が装填されており、トナーとキャリアの双方が同時に現像装置２４に補給されるようにしている。
【００４１】
前記転写ローラ２５は、感光体ドラム２１の直下位置に送り込まれた用紙Ｐに対して当該感光体ドラム２１の周面に形成されているプラスに帯電したトナー像を用紙Ｐに転写させるものであり、トナー像の電荷と逆極性であるマイナスの電荷を用紙Ｐに付与するようになっている。
【００４２】
従って、感光体ドラム２１の直下位置を越えた用紙Ｐは、転写ローラ２５と感光体ドラム２１とによって押圧挟持されつつ、プラスに帯電した感光体ドラム２１周面のトナー像がマイナスに帯電した用紙Ｐの表面に向けて引き剥がされ、これによって用紙Ｐに対し転写処理が施されることになる。
【００４３】
前記クリーニング装置２６は、用紙Ｐへの転写処理後の感光体ドラム２１の周面に残留しているトナーを取り除いて清浄化するためのものである。このクリーニング装置２６によって清浄化された感光体ドラム２１の周面は、次の画像形成処理のために再び帯電器２２へ向かうことになる。
【００４４】
前記定着部２７は、画像転写部２０において転写処理の施された用紙Ｐのトナー像に加熱による定着処理を施すものであり、内部にハロゲンランプ等の通電発熱体が装着されたヒートローラ２７１と、このヒートローラ２７１の下部で周面が対向配置された加圧ローラ２７２とを備えて構成されている。そして、転写処理後の用紙Ｐは、ローラ心回りに時計方向に向けて駆動回転しているヒートローラ２７１と、ローラ心回りに反時計方向に向けて従動回転している加圧ローラ２７２との間のニップ部を通過することによって、ヒートローラ２７１からの熱を得て定着処理が施されるようになっている。定着処理の施された用紙Ｐは、排紙搬送路２７３を通って排紙トレー１１７へ排出されることになる。
【００４５】
前記給紙装置３０の構成要素である手差し給紙部４０は、後縁部が前記画像転写部２０の上流端であって、給紙コロ３１２ａの直上位置にまで延ばされたトレー支持部材５０と、このトレー支持部材５０に装着された手差しトレー６０とを備えて構成されている。
【００４６】
以下、かかる給紙装置３０について、図４〜図８を基に詳細に説明する。図４は、給紙装置３０の分解斜視図であり、図５および図６はその組み立て斜視図である。そして、図５は、手差しトレー６０が閉止姿勢Ｓ１に姿勢設定された状態を示し、図６は、手差しトレー６０が開放姿勢Ｓ２に姿勢設定された状態を示している。また、図７は、手差しトレー６０を説明するための斜視図である。因みに、図４〜図７におけるＸおよびＹによる方向表示は、図１の場合と同様（（Ｘは幅方向（−Ｘ：左方、＋Ｘ：右方）、Ｙは前後方向（−Ｙ：前方、＋Ｙ：後方））である。
【００４７】
まず図４を基に、手差し給紙部４０についての説明に先立って当該手差し給紙部４０が装着される用紙カセット３１についてさらに詳細に説明する。用紙カセット３１は、前面が外方（前方）に向かって円弧状に膨設された円弧状前板３２と、この円弧状前板３２の裏面（後面）側の下縁部から後方に向かって延設された底板３３と、この底板３３の左右両側部から上方に向けて突設された前後方向に延びる一対の側板３４とを備えている。
【００４８】
前記各側板の適所には、互いに反対方向に向けて突設された被ガイド突片３４１が設けられている一方、装置本体１１の一対の側板１１１（図３）には、前記被ガイド突片３４１に対応した前後方向に延びるガイド溝１１１ａがそれぞれ凹設され、用紙カセット３１は、各被ガイド突片３４１がこれらのガイド溝１１１ａに案内されつつ正逆移動することによって装置本体１１内に収納された収納位置Ｔ１（図２）と、装置本体１１から外部に突出した引出位置Ｔ２（図３）との間で位置変更し得るようになっている。
【００４９】
前記底板３３には、その上面側における左右方向の中央位置に前後方向に延びた前後動案内凹部３３１が設けられているとともに、この前後動案内凹部３３１に案内されつつ前後動可能な前後位置規制部材３５が設けられている。この前後位置規制部材３５は、底板３３上に載置された用紙束Ｐ１（図１）の後端位置を規制するためのものであり、前後動案内凹部３３１内をスライドする水平板３５１と、この水平板３５１の後端部から立設された垂直板３５２とを有している。そして、この垂直板３５２を用紙サイズに合わせて移動させて用紙束Ｐ１の後端へ当止させ得るようになっている。
【００５０】
また、底板３３には、その上面の前方位置に左右方向一対の左右動案内凹部３３２が設けられているとともに、これらの左右動案内凹部３３２に案内されつつ左右方向に移動可能な一対の左右位置規制部材３６が設けられている。これらの左右位置規制部材３６は、底板３３上に載置された用紙束Ｐ１（図１）の左右位置を規制するためのものであり、左右動案内凹部３３２内をスライドする水平板３６１と、各水平板３６１における左右方向の互いに反対側の縁部から立設された垂直板３６２とを有している。そして、これらの左右位置規制部材３６を用紙サイズに合わせて同一量だけ移動させることによって一対の垂直板３６２で当該用紙束Ｐ１を挟持し得るようになっている。
【００５１】
従って、用紙カセット３１の底板３３上に載置された用紙束Ｐ１は、前後位置規制部材３５および一対の左右位置規制部材３６によって挟み込まれることにより、用紙カセット３１内で位置決めされることになる。
【００５２】
また、底板３３の前半分の位置には、前記左右位置規制部材３６と干渉しない状態で載置された用紙束Ｐ１の前半分を上方へ向けて付勢する付勢板３７が設けられている。この付勢板３７は、後端側が左右方向に延びる支軸３７１（図２）回りに回動可能に軸支されているとともに、コイルスプリング３７２（図２）によって上方に向かって付勢され、これによって用紙カセット３１に装填された用紙束Ｐ１の最上位の用紙Ｐは、用紙カセット３１が装置本体１１に収納された状態で給紙ローラ３１１に当接するようになっている。従って、用紙束Ｐ１の最上位の用紙Ｐは、給紙ローラ３１１が駆動回転することにより、給紙ローラ３１１、搬送コロ３１２，３１２ａおよび給紙搬送路３１３を介し画像転写部２０へ向けて順次繰り出されることになる。
【００５３】
そして、前記トレー支持部材５０と手差しトレー６０とからなる前記手差し給紙部４０は、このような用紙カセット３１の前方位置に形成されている。手差し給紙部４０を用紙カセット３１に装着するために、円弧状前板３２の上部には、左右方向の中央部が凹没されることによって形成された手差しトレー６０を受ける凹溝３２１が形成されているとともに、円弧状前板３２の裏面（後面）には、左右方向一対の側壁３２２が設けられている。これら一対の側壁３２２と、円弧状前板３２と、給紙ローラ３１１および側壁３２２とに囲繞された部分にトレー支持部材５０を装着する装着空間Ｖが形成されている。
【００５４】
前記トレー支持部材５０は、用紙カセット３１に装着される手差しトレー６０を支持するものであり、手差しトレー６０の後部を支持する後部支持フレーム５１と、手差しトレー６０の前部を支持する前部支持フレーム５２とからなっている。前記後部支持フレーム５１は、平面視で左右方向に長尺の矩形状を呈したトレー支持板５１１と、このトレー支持板５１１の前後方向の略中央部から下方に向けて突設された左右方向に延びる後方垂下フレーム５１２と、この後方垂下フレーム５１２の下縁部から前方上部に向けて斜めに立設された立設フレーム５１３とからなっている。
【００５５】
前記後方垂下フレーム５１２および立設フレーム５１３は、給紙ローラ３１１や搬送コロ３１２、前記前部支持フレーム５２との位置関係が考慮された上で上方から前記装着空間Ｖに挿入され得るように形状設定されている。後方垂下フレーム５１２と立設フレーム５１３との間には、前部支持フレーム５２を収納するための収納空間Ｖ１が形成されている。そして、前記手差しトレー６０の後部底面は、トレー支持板５１１に密着状態で固定されるようになっている。
【００５６】
前記前部支持フレーム５２は、手差しトレー６０の下面後方を支持するものであり、手差しトレー６０の下面後方が当接されるコ字状フレーム５２１と、このコ字状フレーム５２１の一縁部から垂下される前方垂下フレーム５２２とからなっている。前方垂下フレーム５２２は、前記後部支持フレーム５１の立設フレーム５１３と密着し得るように形状設定されている。前記手差しトレー６０は、下面前方がコ字状フレーム５２１に密着状態で固定されるとともに、下面後方がトレー支持板５１１に密着状態で固定されることによりトレー支持部材５０に装着されるようになっている。
【００５７】
そして、トレー支持部材５０に装着された手差しトレー６０は、前方垂下フレーム５２２並びに後方垂下フレーム５１２および立設フレーム５１３が前記装着空間Ｖに挿入されて固定されることにより、図５および図６に示すように、用紙カセット３１の前方位置に装着されるようになっている。
【００５８】
前記手差しトレー６０は、前縁部が前記円弧状前板３２と同一の円弧状に形成された平板状の手差しトレー本体６１と、この手差しトレー本体６１の上面に左右方向へ向けて正逆移動可能に設けられた左右方向一対の奥側カーソル（第２のカーソル）６２と、各奥側カーソル６２の前端部に接続された左右方向一対の給紙口側カーソル６３とを備えて構成されている。
【００５９】
前記手差しトレー本体６１には、前後方向の略中央位置において左右方向へ向けて延びる左右方向一対のガイド長孔６１１が穿設されている。各ガイド長孔６１１は、前記一対の奥側カーソル６２のそれぞれを左右方向へ向けた正逆移動をガイドするためのものであり、前後方向で干渉し合わないように互い違いに設けられている。
【００６０】
また、手差しトレー本体６１の周縁部には、全周に亘り下方に向けて突設された周壁６１３が設けられ、この周壁６１３の存在によって手差しトレー本体６１が強度的に丈夫なものになっている。
【００６１】
前記各奥側カーソル６２は、前記ガイド長孔６１１に案内されて同一量だけ左右の反対方向へ向けて連動するようになっている。かかる奥側カーソル６２は、後端部が手差しトレー本体６１の後縁部から若干後方に向けて突出されている一方、前縁部が手差しトレー本体６１の前縁部から若干後方に入り込んだ位置に位置設定されるように長さ寸法が設定されている。このような奥側カーソル６２には、後縁部の下部が切り欠かれることによって形成した切欠き部６２１が設けられ、前記給紙口側カーソル６３の一方の端部の一部がこの切欠き部６２１に嵌め込まれた状態でこれらに上方から連結軸６４がそれぞれ貫通されることにより、給紙口側カーソル６３は、給紙口１１６（図１）を閉止した閉止姿勢Ｓ１（図１の（イ）および図５参照）と、給紙口１１６を開放した開放姿勢Ｓ２（図１の（ロ）および図６参照）との間で姿勢変更可能になっている。
【００６２】
前記給紙口側カーソル６３は、角柱状のカーソル本体６３１と、前記奥側カーソル６２の切欠き部６２１に対応するように各カーソル本体６３１の一方の端部の互いに対向した角部が切り欠かれることによって形成したブラケット部６３２と、各カーソル本体６３１の対向した縁面下部から対向方向に向けて突設された用紙支持用の突設縁部６３３と、カーソル本体６３１の上面から切り込まれることによって形成した把手凹部６３４とを備えて構成されている。
【００６３】
前記ブラケット部６３２には、上下方向に延びるねじ孔６３２ａが螺設されているとともに、前記奥側カーソル６２には、切欠き部６２１の上部にねじ孔６３２ａと対応した貫通孔６２１ａが穿設されている。一方、前記連結軸６４の下部には前記ねじ孔６３２ａに螺着するねじが螺設されている。従って、給紙口側カーソル６３のブラケット部６３２を奥側カーソル６２の切欠き部６２１に嵌め込んだ状態で、連結軸６４を貫通孔６２１ａに差し通し、ねじ孔６３２ａに螺着して綴結することにより、給紙口側カーソル６３は、連結軸６４回りに正逆回動し、閉止姿勢Ｓ１と開放姿勢Ｓ２との間で姿勢変更し得るようになる。
【００６４】
そして、カーソル本体６３１には、角部が切り欠かれることによって形成した（すなわちブラケット部６３２が形成されることによって形成した）ストッパ６３５が設けられているため、給紙口側カーソル６３が開放姿勢Ｓ２に姿勢設定された状態で、ストッパ６３５が奥側カーソル６２の前縁部に当止し、これによって一対の給紙口側カーソル６３の平行状態が確保されるようになっている。
【００６５】
前記把手凹部６３４は、カーソル本体６３１におけるストッパ６３５が設けられている端部と反対側の端部であって、ストッパ６３５と同一側が上方から切り欠かれることによって形成されている。かかる把手凹部６３４が設けられることにより、給紙口側カーソル６３が閉止姿勢Ｓ１に姿勢設定された状態（図１）で、指をこの把手凹部６３４に差し入れて手前に引くことにより、当該給紙口側カーソル６３を給紙口１１６から容易に引き出すことができる。
【００６６】
そして、プリンタ１０に対して用紙Ｐを手差しで給紙するときは、図１の（イ）に示すように閉止姿勢Ｓ１に姿勢設定されている一対の給紙口側カーソル６３を観音開きで開放して図１の（ロ）に示すように開放姿勢Ｓ２に姿勢変更した後、用紙Ｐのサイズに合わせて一対の給紙口側カーソル６３間の離間寸法を調節すればよい。こうすることによって、一対の給紙口側カーソル６３間に手差しされた用紙Ｐは、一対のカーソル本体６３１によって横ずれや斜めずれが防止された状態で、一対の突設縁部６３３上を滑って装置本体１１内へ真っ直ぐに給紙されることになる。
【００６７】
図８は、一対の給紙口側カーソル６３の連動構造の一実施形態を説明するための手差しトレー６０の裏面視の斜視図である。図８に示すように、手差しトレー６０の裏面側には、左右一対のガイド長孔６１１に対応し、かつ、ガイド長孔６１１を介して各奥側カーソル６２（図７）に固定された左右一対のラック部材６５が、各ラック歯６５１を互い違いに対向させた状態で設けられているとともに手差しトレー本体６１の中央部には、各ラック歯６５１に噛合するピニオン部材６６が設けられている。
【００６８】
また、手差しトレー本体６１の裏面側には、各ラック部材６５の移動を案内するための案内凹溝６１２がそれぞれ互い違いに設けられ、各ラック部材６５は、対応した案内凹溝６１２に案内されることによって左右方向に向かう正逆移動がスムーズに行われるようになっている。
【００６９】
前記ピニオン部材６６は、互いに対向した一対のラック部材６５の各ラック歯６５１と噛合するピニオン本体６６１と、このピニオン本体６６１に同心で一体的に形成されたフランジ６６２とを備えている。フランジ６６２は、径寸法がピニオン本体６６１の径寸法より若干大きめに設定されている。かかるピニオン部材６６は、手差しトレー本体６１の中心位置に中心軸６６３回りに回転自在に軸支されている。そして、前記フランジ６６２の存在によりピニオン本体６６１に噛合した各ラック部材６５は、外れ止めされるようになっている。
【００７０】
かかる給紙口側カーソル６３の連動構造によれば、一方の給紙口側カーソル６３を移動させることにより、この移動は、一方のラック部材６５のラック歯６５１を介してピニオン本体６６１に伝達されてピニオン部材６６が中心軸６６３回りに回転し、この回転は他方のラック部材６５のラック歯６５１を介して当該ラック部材６５に伝達され、これによって他方のラック部材６５が一方のラック部材６５と反対方向に向けて同一量だけ移動するため、結局、一方の給紙口側カーソル６３のみを操作することによって他方の給紙口側カーソル６３も反対方向に向けて同一量だけ連動することになる。
【００７１】
以下、図９を基に本発明にかかる手差し給紙部４０の作用について説明する。図９は、手差し給紙部４０の作用を説明するための正面断面視の説明図であり、（イ）は、給紙口側カーソル６３が閉止姿勢Ｓ１に姿勢設定された状態、（ロ）は、給紙口側カーソル６３が閉止姿勢Ｓ１から開放姿勢Ｓ２へ向かって姿勢変更しつつある状態、（ハ）は、給紙口側カーソル６３が開放姿勢Ｓ２に姿勢変更された状態をそれぞれ示している。
【００７２】
まず、一対の給紙口側カーソル６３が閉止姿勢Ｓ１に姿勢設定された状態では、図９の（イ）に示すように、装置本体１１の前面板１１３に設けられた給紙口１１６は、一対の給紙口側カーソル６３によって閉止され、これによって手差し給紙ができないようになっている。これに応じて一対の奥側カーソル６２は、最大離間位置に位置設定されている。
【００７３】
そして、給紙口側カーソル６３が閉止姿勢Ｓ１に姿勢設定された状態は、ユーザーが手差し給紙ではなく、用紙カセット３１（図２）に貯留されている用紙束Ｐ１からの給紙を選択した場合の状態であり、装置本体１１は、給紙口１１６が一対の給紙口側カーソル６３によって閉止されることで見栄えがよくなっているとともに、突出した給紙口側カーソル６３が邪魔になるような不都合も回避される。
【００７４】
ついで、用紙Ｐを手差しで装置本体１１内に給紙するに際しては、各給紙口側カーソル６３が、図９の（ロ）に示すように、観音開きで開かれる。これによって各給紙口側カーソル６３は、連結軸６４回りに互いに反対方向へ向けて回動するが、このとき、給紙口側カーソル６３のストッパ６３５が給紙口１１６の左右の縁部（すなわち前面板１１３）と干渉するため、この干渉を回避するべく各奥側カーソル６２が、図９の（ロ）に示すように、互いに接近する方向に向けて若干移動することになる。
【００７５】
そして、各給紙口側カーソル６３は、開放姿勢Ｓ２に姿勢変更された後、用紙Ｐの幅寸法に合わせて互いの離間距離が調節されることにより、図９の（ハ）に示すように、当該用紙Ｐを手差し給紙し得るようになる。
【００７６】
これとは逆に開放姿勢Ｓ２に姿勢設定された一対の給紙口側カーソル６３を閉じるに際しては、一対の奥側カーソル６２を最大離間距離までそれぞれ移動させた後に、各給紙口側カーソル６３を連結軸６４回りに互いに反対方向に回動してそれぞれを接近させればよい。こうすることによって一対の給紙口側カーソル６３は、再度給紙口１１６を閉止した図９の（イ）の状態に戻ることになる。
【００７７】
以上詳述したように、本発明に係る給紙装置３０は、プリンタ１０の装置本体１１に対して挿脱可能に装着された複数枚の用紙Ｐ（用紙束Ｐ１）を貯留する用紙カセット３１と、この用紙カセット３１の上部に設けられた手差し給紙部４０とを備えてなるものであり、手差し給紙部４０は、装置本体１１に設けられた給紙口１１６を介して手差し給紙する用紙Ｐを受ける手差しトレー６０を有し、手差しトレー６０には、用紙搬送方向で互いに対向した用紙Ｐの幅方向のずれを抑える一対の給紙口側カーソル６３を備え、一対の給紙口側カーソル６３は、給紙口１１６を閉止する閉止姿勢Ｓ１と、給紙口１１６から引き出されることにより用紙Ｐを挟持するべく互いに平行になった開放姿勢Ｓ２との間で姿勢変更可能に構成されている。
【００７８】
かかる構成によれば、用紙カセット３１に貯留された用紙束Ｐ１から装置本体１１内に給紙するに際しては、一対の給紙口側カーソル６３を閉止姿勢Ｓ１に姿勢設定しておくことにより、手差し用の給紙口１１６が排紙され、給紙口１１６が開放していることによる見苦しさを解消することができる。これに対し、用紙Ｐを給紙装置の手差し給紙部４０を介して装置本体１１内に手差しで給紙するに際しては、閉止姿勢Ｓ１に姿勢設定された給紙口側カーソル６３を給紙カセットから引き出すことにより、一対の給紙口側カーソル６３が用紙Ｐを挟持するべく互いに平行になった開放姿勢Ｓ２に姿勢変更されるため、用紙Ｐは、一対の給紙口側カーソル６３に案内されて横ずれ或いは斜めずれがない状態で真っ直ぐに給紙される。
【００７９】
このように、一対の給紙口側カーソル６３を給紙口１１６を閉止する閉止姿勢Ｓ１と、給紙口１１６から引き出されることにより用紙Ｐを挟持するべく互いに平行になった開放姿勢Ｓ２との間で姿勢変更可能に構成することにより、装置本体１１の外観視を見苦しくない状態にした上で手差し給紙時には、従来のように手差し給紙に際し一旦用紙カセット３１を装置本体１１から引き出して給紙台を突出させ、その後再び用紙カセット３１を装置本体１１に収納するような面倒な操作を行うことなく、手出し給紙の際の操作性を良好なものにすることができる。また、一対の給紙口側カーソル６３は、閉止姿勢Ｓ１と開放姿勢Ｓ２との間で姿勢変更させるだけであるため、従来のように手差しトレー６０を用紙カセット３１から出し入れするものに対して構造が簡単になり、その分装置コストおよび組付けコストの低減化に貢献することができる。
【００８０】
また、一対の給紙口側カーソル６３は、閉止姿勢Ｓ１に姿勢設定された状態の一対の給紙口側カーソル６３を観音開きすることにより開放姿勢Ｓ２に姿勢変更されるようになっているため、給紙口側カーソル６３の構造を簡単なものにした上で開放姿勢Ｓ２に姿勢変更することにより一対の給紙口側カーソル６３を容易に互いに平行状態にすることができる。
【００８１】
また、一対の給紙口側カーソル６３は、一対の給紙口側カーソル６３は、開放姿勢Ｓ２に姿勢設定された状態で手差しトレー６０から外方に向けて突出するように長さ設定されているため、一対の給紙口側カーソル６３を手差しトレー６０から外方に向けて突出させることにより、充分な長さ寸法を確保することができ、用紙Ｐをこの充分な長さを有する給紙口側カーソル６３によって適正、かつ、確実ににガイドすることができる。
【００８２】
さらに、一対の給紙口側カーソル６３の基端側には奥側カーソル６２がそれぞれ連結され、奥側カーソル６２は、手差しトレー本体６１上で互いに反対方向へ向けて同一量だけ移動し得るように構成されているため、各給紙口側カーソル６３を開放姿勢Ｓ２に姿勢設定した状態で、一対の奥側カーソル６２を正逆移動させることにより、用紙Ｐのサイズに応じて給紙口側カーソル６３間の距離を適正に調節することが可能になり、これによって手差し給紙部４０の汎用性を向上させることができる。
【００８３】
本発明は上記の実施形態に限定されるものではなく、以下の内容をも包含するものである。
【００８４】
（１）上記の実施形態においては、画像形成装置としてプリンタ１０が採用されているが、本発明は、画像形成装置がプリンタ１０であることに限定されるものではなく、原稿画像を用紙Ｐに複写する複写機や、電送されてきた画像情報に基づいて印刷処理を施すファクシミリ装置であってもよい。
【００８５】
（２）上記の実施形態においては、用紙カセット３１は１段のみが装置本体１１に装着されているが、本発明は、用紙カセット３１は１段であることに限定されるものではなく、複数段の用紙カセット３１を挿脱自在に装置本体１１に設けるようにしてもよい。この場合、手差し給紙部４０は、最上段の用紙カセット３１に設けられることになる。
【００８６】
（３）図１０は、手差しトレー６０′の他の実施形態を示す斜視図であり、（イ）は、一対の給紙口側カーソル６３′が閉止姿勢Ｓ１に姿勢設定された状態、（ロ）は、一対の給紙口側カーソル６３′が開放姿勢Ｓ２に姿勢変更された状態、（ハ）は、開放姿勢Ｓ２に姿勢設定された一対の給紙口側カーソル６３′間の離間寸法が用紙Ｐの用紙幅に合わせて調節された状態をそれぞれ示している。
【００８７】
この実施形態の手差しトレー６０′においては、各給紙口側カーソル６３′は、角筒状を呈した一対の奥側カーソル６２′の対応したそれぞれに対して進退可能に内嵌されている。各給紙口側カーソル６３′は、Ｌ字状を呈し、給紙口側カーソル６３′に摺接状態で挿脱可能に内嵌された角柱状のカーソル本体６３６と、各カーソル本体６３６の先端側から互いに対向する方向に向けて延設された蓋体６３７とを備えて構成されている。
【００８８】
前記一対のカーソル本体６３６には、互いに対向する方向に向けて突設された突設縁部６３３が設けられている一方、各奥側カーソル６２′の対向面には、突設縁部６３３および蓋体６３７の対向面を露出させるための露出開口６２２が設けられ、給紙口側カーソル６３′が閉止姿勢Ｓ１に設定された状態で各突設縁部６３３が露出開口６２２から外部に突出するようになされている。
【００８９】
また、前記蓋体６３７は、長さ寸法が装置本体１１の給紙口１１６の水平長の１／２より僅かに短めに設定され、これによって一対の奥側カーソル６２′が最大離間距離になるように位置設定された状態で各カーソル本体６３６を奥側カーソル６２′内に押し込むことにより、給紙口１１６は、図１０の（イ）に示すように、一対の蓋体６３７によって閉止されるようになっている。この実施形態のその他の構成については、先の実施形態のものと同様である。
【００９０】
この実施形態の手差しトレー６０′によれば、装置本体１１に対して手差しで給紙しないときには、図１０の（イ）に示すように、一対の給紙口側カーソル６３′は、一対の奥側カーソル６２′が最大離間距離に設定された状態でいずれも閉止姿勢Ｓ１に姿勢設定され、これによって給紙口１１６が開放したままの見苦しさが解消される。
【００９１】
これに対し、装置本体１１に対して用紙Ｐを手差しで給紙するに際しては、各カーソル本体６３６がそれぞれ対応した奥側カーソル６２′から引き出されて一対の給紙口側カーソル６３′が開放姿勢Ｓ２に姿勢変更され、これによって給紙口１１６が開放されるため、用紙Ｐを一対のカーソル本体６３６にガイドさせつつ給紙口１１６を介して手差しで給紙し得るようになる。因みに、図１０の（ロ）においては、一対のカーソル本体６３６間の距離が最大長になっているため、例えばＡ３サイズの用紙Ｐ等が手差しで給紙される。
【００９２】
そして、用紙幅が一対のカーソル本体６３６間の最大離間距離より短い用紙Ｐ（例えばＡ４サイズの用紙Ｐ）である場合には、その用紙幅に合わせて各奥側カーソル６２′がそれぞれ移動され、これによって、一対の給紙口側カーソル６３′は、図１０の（ハ）に示すような状態とされる。因みにこの状態においては、各蓋体６３７は、前後方向の位置が若干ずらされ、これによって互いに干渉し合わないようにされる。
【００９３】
このように構成された手差しトレー６０′によれば、給紙口側カーソル６３′の姿勢変更において回動部分が存在しないため、その分部品点数の削減に貢献することが可能であり、部品コストおよび組付けコストの低減化に貢献することができる。
【図面の簡単な説明】
【００９４】
【図１】本発明に係る給紙装置が適用されたプリンタの一実施形態を示す斜視図であり、（イ）は、手差し給紙部の給紙口側カーソルが給紙口を閉止した閉止姿勢に姿勢設定された状態、（ロ）は、手差し給紙部の給紙口側カーソルが給紙口を開放した開放姿勢に姿勢設定された状態をそれぞれ示している。
【図２】プリンタの内部構造の概要を説明するための側面断面視の説明図であり、用紙カセットが収納位置に収納された状態を示している。
【図３】プリンタの内部構造の概要を説明するための側面断面視の説明図であり、用紙カセットが引出位置に引き出された状態を示している。
【図４】給紙装置の分解斜視図である。
【図５】図４に示す給紙装置の組み立て斜視図であり、手差しトレーが閉止姿勢に姿勢設定された状態を示している。
【図６】図４に示す給紙装置の組み立て斜視図であり、手差しトレーが開放姿勢に姿勢設定された状態を示している
【図７】手差しトレーを説明するための斜視図である。
【図８】一対の給紙口側カーソルの連動構造の一実施形態を説明するための手差しトレーの裏面視の斜視図である。
【図９】手差し給紙部の作用を説明するための正面断面視の説明図であり、（イ）は、給紙口側カーソルが閉止姿勢に姿勢設定された状態、（ロ）は、給紙口側カーソルが閉止姿勢から開放姿勢へ向かって姿勢変更しつつある状態、（ハ）は、給紙口側カーソルが開放姿勢に姿勢変更された状態をそれぞれ示している。
【図１０】手差しトレーの他の実施形態を示す斜視図であり、（イ）は、一対の給紙口側カーソルが閉止姿勢に姿勢設定された状態、（ロ）は、一対の給紙口側カーソルが開放姿勢に姿勢変更された状態、（ハ）は、開放姿勢に姿勢設定された一対の給紙口側カーソル間の離間寸法が用紙の用紙幅に合わせて調節された状態をそれぞれ示している。
【符号の説明】
【００９５】
１０  プリンタ（画像形成装置）  １１  装置本体
１１１  側板                    １１１ａ  ガイド溝
１１２  天板                    １１３  前面板
１１４  後面板                  １１５  仕切板
１１６  給紙口                  １１７  排紙トレー
１１７ａ  排紙口                １１８  ルーバー
２０  画像転写部                ２１  感光体ドラム
２２  帯電器                    ２３  露光装置
２４  現像装置                  ２４１  トナーカートリッジ
２５  転写ローラ                ２６  クリーニング装置
２７  定着部                    ２７１  ヒートローラ
２７２  加圧ローラ              ２７３  排紙搬送路
３０  給紙装置
３１  用紙カセット              ３１１  給紙ローラ
３１２，３１２ａ  搬送コロ      ３１３  給紙搬送路
３１４  レジストローラ対        ３２  円弧状前板
３２１  凹溝                    ３２２  側壁
３３  底板                      ３３１  前後動案内凹部
３３２  左右動案内凹部          ３４  側板
３４１  被ガイド突片            ３５  前後位置規制部材
３５１  水平板                  ３５２  垂直板
３６  左右位置規制部材          ３６１  水平板
３６２  垂直板                  ３７  付勢板
３７１  支軸                    ３７２  コイルスプリング
４０  給紙部                    ５０  トレー支持部材
５１  後部支持フレーム          ５１１  トレー支持板
５１２  後方垂下フレーム        ５１３  立設フレーム
５２  前部支持フレーム          ５２１  コ字状フレーム
５２２  前方垂下フレーム        ６０，６０′  手差しトレー
６１  トレー本体                ６１１  ガイド長孔
６１２  案内凹溝                ６１３  周壁
６２，６２′  奥側カーソル（第２のカーソル）
６２１  切欠き部                ６２１ａ  貫通孔
６２２  露出開口                ６３，６３′  給紙口側カーソル
６３１  カーソル本体            ６３２  ブラケット部
６３２ａ  ねじ孔                ６３３  突設縁部
６３４  把手凹部                ６３５  ストッパ
６３６  カーソル本体            ６３７  蓋体
６４  連結軸                    ６５  ラック部材
６５１  ラック歯                ６６  ピニオン部材
６６１  ピニオン本体            ６６２  フランジ
６６３  中心軸                  Ｐ  用紙
Ｐ１  用紙束                    Ｓ１  閉止姿勢
Ｓ２  開放姿勢                  Ｔ１  収納位置
Ｔ２  引出位置                  Ｖ  装着空間
Ｖ１  収納空間
【図１】
2007022744.tif 000003
【図２】
2007022744.tif 000004
【図３】
2007022744.tif 000005
【図４】
2007022744.tif 000006
【図５】
2007022744.tif 000007
【図６】
2007022744.tif 000008
【図７】
2007022744.tif 000009
【図８】
2007022744.tif 000010
【図９】
2007022744.tif 000011
【図１０】
2007022744.tif 000012